(57)【要約】【課題】波形屋根に対して、回転したり、ぐらついたりするおそれがなく強固に取り付けることができる屋根上取付具および屋根上取付具の取付構造を提供する。【解決手段】両脚片１１ｂ、１１ｂを緊締する緊締用ボルト１３と緊締用ナット１４との螺合により、両脚片１１ｂ、１１ｂの少なくとも一方の脚片１１ｂの外側に固定される支持脚片１６を備え、この支持脚片１６は、折板屋根４０（波形屋根）に当接する脚部１６ｂを有している。【選択図】図１
2010229661.tif 000002
【特許請求の範囲】
【請求項１】
両脚片を備えて断面略倒コ字形に形成した本体部と、該両脚片のそれぞれの下端から対向するように折曲延設された両内向鍔片とをすくなくとも備えてなり、緊締用ボルトと緊締用ナットとの螺合により上記両脚片を緊締して、上記両内向鍔片を、相互に近接させて、波形屋根の頂部より突出したボルト体に挟着させる構造とした屋根上取付具において、
上記両脚片を緊締する上記緊締用ボルトと上記緊締用ナットとの螺合により、上記両脚片の少なくとも一方の脚片の外側に固定される支持脚片を備え、
この支持脚片は、上記波形屋根に当接する脚部を有していることを特徴とする屋根上取付具。
【請求項２】
請求項１において、
上記支持脚片の脚部は、上記波形屋根の側面に当接し、上記脚部を上記波形屋根に係止する係止突起部を有していることを特徴とする屋根上取付具。
【請求項３】
請求項１または２において、
上記支持脚片は、長穴を有し、この長穴に挿通される上記緊締用ボルトと上記緊締用ナットとの螺合により上記脚片に固定されることを特徴とする屋根上取付具。
【請求項４】
請求項３において、
上記緊締用ボルトの長穴における上下方向の変位を抑制する突起が、上記支持脚片の長穴の側面部に形成されていることを特徴とする屋根上取付具。
【請求項５】
請求項１〜４のいずれかに記載の屋根上取付具を波形屋根に取り付けてなる、屋根上取付具の取付構造。
【発明の詳細な説明】
【技術分野】
【０００１】
本発明は、波形屋根の頂部より突出したボルト体に挟着させて屋根上に取り付けるようにした屋根上取付具およびその取付構造に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、波形屋根の頂部等で隣接する屋根材を重ねた重合部をボルト体とナットの螺着によって固定した構造ものでは、屋根の下方より、屋根を貫通して屋根上に突出させた、屋根材連結のためのボルト体を対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫く緊締用ボルト、ナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に上記ボルト体に螺着されるナットが配されているから、内向鍔片でボルト体を挟み込む位置は、ボルト体の軸部の、ナットから上方に突き出た箇所となり、そのためボルト体に挟着したときには、両脚片の下端および内向鍔片は屋根から浮いた状態となる。そのため、屋根上取付具に対して外力が加われば、屋根上取付具が回転したり、ぐらついたりするおそれがあった。
【０００７】
本発明は、このような事情を考慮して提案されたもので、その目的は、波形屋根に対して、回転したり、ぐらついたりするおそれがなく、波形屋根に堅固に取り付けることができる屋根上取付具およびその取付構造を提供することにある。
【課題を解決するための手段】
【０００８】
上記目的を達成するために、請求項１に係る屋根上取付具は、両脚片を備えて断面略倒コ字形に形成した本体部と、該両脚片のそれぞれの下端から対向するように折曲延設された両内向鍔片とをすくなくとも備えてなり、緊締用ボルトと緊締用ナットとの螺合により上記両脚片を緊締して、上記両内向鍔片を、相互に近接させて、波形屋根の頂部より突出したボルト体に挟着させる構造とした屋根上取付具において、上記両脚片を緊締する上記緊締用ボルトと上記緊締用ナットとの螺合により上記両脚片の少なくとも一方の脚片の外側に固定される支持脚片を備え、この支持脚片は、上記波形屋根に当接する脚部を有していることを特徴とする。
【０００９】
請求項２に係る屋根上取付具は、上記支持脚片の脚部は、上記波形屋根の側面に当接し、上記脚部を上記波形屋根に係止する係止突起部を有している。
【００１０】
請求項３に係る屋根上取付具は、上記支持脚片は、長穴を有し、この長穴に挿通される上記緊締用ボルトと上記緊締用ナットとの螺合により上記脚片に固定される。
【００１１】
請求項４に係る屋根上取付具は、上記緊締用ボルトの長穴における上下方向の変位を抑制する突起が、上記支持脚片の長穴の側面部に形成されている。
【００１２】
請求項５に係る屋根上取付具の取付構造は、請求項１〜４のいずれかに記載の屋根上取付具を波形屋根に取り付けてなる。
【発明の効果】
【００１３】
本発明によれば、次のような効果がある。
【００１４】
すなわち、請求項１に係る屋根上取付具および請求項５に係る屋根上取付具の取付構造によれば、両脚片の少なくとも一方の脚片の外側に固定される支持脚片の脚部が波形屋根に当接するので、脚片の折板屋根に対する位置が安定する結果、屋根上取付具を波形屋根に堅固に取り付けることができる。
【００１５】
また、両脚片を緊締する緊締用ボルトと緊締用ナットとの螺合により、支持脚片も脚片に固定されるので、支持脚片を脚片に容易に取り付けることができる結果、屋根上取付具の波形屋根への取り付けが容易である。
【００１６】
また、支持脚片は、脚部を波形屋根の上面に当接させて屋根上取付具を安定させるので、屋根上取付具の下にスペーサを設けるなどして屋根上取付具を安定させる必要がない。その結果、屋根上取付具の下にスペーサを設ける場合のように屋根上取付具の位置が高くならず、ボルト体の余裕代を大きくとることができる。
【００１７】
また、請求項２に係る屋根上取付具によれば、支持脚片の脚部の係止突起部が、脚部を波形屋根に係止するので、支持脚片が波形屋根に対して変位することがない。そのため、屋根上取付具を波形屋根に対して、より堅固に取り付けることができる。
【００１８】
さらに、請求項３に係る屋根上取付具によれば、支持脚片が、長穴を介して脚片に、緊締用ボルトと緊締用ナットとにより固定されるので、取り付けるための屋根上取付具の位置に多少変更があっても、脚部を波形屋根に当接させた状態を維持したまま、支持脚片を脚片に確実に取り付けることができる。
【００１９】
また、さらに、請求項４に係る屋根上取付具によれば、緊締用ボルトの長穴における上下方向の変位を抑制する突起が、支持脚片の長穴の側面部に形成されているので、一旦、支持脚片と脚片とが緊締用ボルトと緊締用ナットにより固定された後は、脚片が支持脚片に対して変位することが抑制される。その結果、屋根上取付具を波形屋根にさらに堅固に取り付けることができる。
【図面の簡単な説明】
【００２０】
【図１】本発明に係る屋根上取付具の第１の実施形態を示す説明図であり、（ａ）は波形屋根への取付状態を示した正面図、（ｂ）は同側面図である。
【図２】図１に示した屋根上取付具の分解斜視図であり、（ａ）は全体の分解斜視図、（ｂ）は、（ａ）のＸ部分の拡大図である。
【図３】（ａ）、（ｂ）は、同屋根上取付具の施工状態を示す正面図である。
【図４】本発明に係る屋根上取付具の第２の実施形態を示す説明図であり、（ａ）は波形屋根への取付状態を示した正面図、（ｂ）は同側面図である。
【図５】本発明に係る屋根上取付具の第３の実施形態を示す説明図であり、（ａ）は折板屋根への取付状態を示した正面図、（ｂ）は同側面図である。
【発明を実施するための形態】
【００２１】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２２】
図１は本発明に係る屋根上取付具１０の第１の実施形態を示す説明図であり、（ａ）は折板屋根４０への取付状態を示した正面図、（ｂ）は同側面図である。また、図２は図１に示した屋根上取付具１０の分解斜視図、図３（ａ）、（ｂ）は同屋根上取付具１０の施工状態を示す正面図である。
【００２３】
本実施形態に使用される折板屋根４０は、山部４１と谷部４２とが交互に連続する屋根であって、複数の折板屋根材を側端縁の山部４１の頂部４１ａで重合し、その重合部４０ａでボルト体２１とナット２２の螺着によって連結した重ね式構造となっている。
【００２４】
一方、屋根上取付具１０は、金属板または硬質樹脂板よりなり、折板屋根４０の頂部４１ａより上方に突出した重合部連結用の上記ボルト体２１に挟着して、取付、固定する構造となっている。
【００２５】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の軸部２１ａに、ボルト体２１に螺着されたナット２２の上方位置で挟着させる構造となっている。また両脚片１１ｂ、１１ｂの緊締は、対向する両脚片１１ｂ、１１ｂに開設された軸孔１１ｂａ、１１ｂａ（図２）に貫通された緊締用ボルト１３と、緊締用ナット１４との螺合によってなされる。
【００２６】
そして、本実施形態では、脚片１１ｂ、１１ｂより延設された内向鍔片１２、１２が、折曲基部１２ａから先端部１２ｂに向けて傾斜起立した形状となっている。
【００２７】
また、内向鍔片１２、１２の先端部１２ｂの辺縁の略中央には、折板屋根４０の頂部４１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、内向鍔片１２、１２の傾斜の程度によっては、切り起こし片１２ｄを形成しなくてもよい。さらに、内向鍔片１２、１２には、内向鍔片１２、１２の強度を上げるためのリブ１２ｅが形成されている。
【００２８】
また、この屋根上取付具１０は、両脚片１１ｂ、１１ｂを緊締する緊締用ボルト１３と緊締用ナット１４との螺合により両脚片１１ｂ、１１ｂの少なくとも一方の脚片１１ｂの外側に固定される概ね板状の支持脚片１６を備えている。
【００２９】
そして、この支持脚片１６は、上方に開口する切り欠き状の長穴１６ａを有し、この長穴１６ａに挿通される緊締用ボルト１３と緊締用ナット１４との螺合により一方の脚片１１ｂに固定される。
【００３０】
また、この支持脚片１６は、支持脚片１６の下部を曲折して延設された脚部１６ｂを有しており、この脚部１６ｂの下面は、折板屋根４０の頂部４１ａに当接している。
以上のように構成した屋根上取付具１０は、以下の要領で折板屋根４０に取り付けて使用する。
【００３１】
まず、両脚片１１ｂ、１１ｂの軸孔１１ｂａ、１１ｂａに緊締用ボルト１３の軸部１３ａを貫通させたうえで、緊締用ボルト１３の先端側において緊締用ナット１４により両脚片１１ｂ、１１ｂと支持脚片１６とを軽く締めて仮止め状態にする。次に、脚部１６ｂを折板屋根４０に当接させたうえで、突出したボルト体２１の上方から、両脚片１１ｂ、１１ｂの隙間１５を通じてボルト体２１を嵌挿する（図３（ａ）、（ｂ）参照）。
【００３２】
そして、仮止め状態にしていた緊締用ボルト１３および緊締用ナット１４を締め付けると、この締め付け力によって両脚片１１ｂ、１１ｂが近接して、両脚片１１ｂ、１１ｂ下端の両内向鍔片１２、１２も互いに近接し、この両内向鍔片１２、１２の両凹所１２ｃ、１２ｃが、ボルト体２１の軸部２１ａを挟持する。また、脚部１６ｂが折板屋根４０に当接した状態で、切り起こし片１２ｄがボルト体２１のネジ溝に食い込んで、屋根上取付具１０が折板屋根４０に連結固定される（図１参照）。
【００３３】
また、緊締用ボルト１３および緊締用ナット１４で両脚片１１ｂ、１１ｂを緊締した状態では、図１に示すように、両脚片１１ｂ、１１ｂの下端が相互に近づいて両脚片１１ｂ、１１ｂが傾斜状態から略垂直状態に変化するとともに、両内向鍔片１２、１２はさらに勾配が急になる。
【００３４】
こうして取り付けた屋根上取付具１０によれば、屋根上取付具１０の本体部１１の上に、安定した状態で、各種機器や部材類を取り付けることができる。
【００３５】
特に、本発明の屋根上取付具１０および屋根上取付具１０の取付構造によれば、両脚片１１ｂ、１１ｂの少なくとも一方の脚片１１ｂの外側に固定される支持脚片１６の脚部１６ｂが折板屋根４０に当接するので、脚片１１ｂの折板屋根４０に対する位置が安定する結果、屋根上取付具１０を折板屋根４０に堅固に取り付けることができる。
【００３６】
また、両脚片１１ｂ、１１ｂを緊締する緊締用ボルト１３と緊締用ナット１４との螺合により、支持脚片１６も脚片１１ｂに固定されるので、支持脚片１６を脚片１１ｂに容易に取り付けることができる結果、屋根上取付具１０の折板屋根４０への取り付けが容易になる。
【００３７】
また、支持脚片１６は、脚部１６ｂを折板屋根４０の上面に当接させて屋根上取付具１０を安定させるので、屋根上取付具１０の下にスペーサを設けるなどして折板屋根４０を安定させる必要がない。その結果、屋根上取付具１０の下にスペーサを設ける場合のように、屋根上取付具１０の位置が高くならず、ボルト体２１の余裕代を大きくとることができる。
【００３８】
さらに、支持脚片１６が、長穴１６ａを介して脚片１１ｂに、緊締用ボルト１３と緊締用ナット１４とにより固定されるので、取り付けるための屋根上取付具１０の位置に多少変更があっても、脚部１６ｂを折板屋根４０に当接させた状態を維持したまま、支持脚片１６を脚片１１ｂに確実に取り付けることができる。
【００３９】
次に、図４は本発明に係る屋根上取付具の第２の実施形態を示す説明図であり、（ａ）は折板屋根４０への取付状態を示した正面図、（ｂ）は同側面図である。なお、屋根上取付具２０の本体部１１、内向鍔片１２、１２の構造および脚片１１ｂ、１１ｂの緊締構造については第１の実施形態のものと同様であるため、以下、同様の構成については同様の符号を付して、それらの説明を割愛する。また、以下の実施形態では、屋根上取付具２０の施工状態図を省略する。
【００４０】
図４に示すように、第２の実施形態の屋根上取付具２０においては、第１の実施形態のような曲折により形成された脚部１６ｂの代わりに、折板屋根４０に当接する支持脚片２６の下端部として、脚部２６ｂが形成されている。また、この脚部２６ｂは、支持脚片２６の下端部から折板屋根４０の側面に向かって延設されており、折板屋根４０の側面に当接する係止突起部２６ｃを有している。そして、この係止突起部２６ｃにより、支持脚片２６の脚部２６ｂが、折板屋根４０の山部４１にまたがるように係止されて構成されている。
このような構造によれば、支持脚片２６の脚部２６ｂの係止突起部２６ｃが、脚部２６ｂを折板屋根４０に係止するので、支持脚片２６が折板屋根４０に対して変位することがない。そのため、屋根上取付具２０を折板屋根４０に対して、より堅固に取り付けることができる。
【００４１】
また、図５は本発明に係る屋根上取付具３０の第３の実施形態を示す説明図であり、（ａ）は折板屋根４０への取付状態を示した正面図、（ｂ）は同側面図である。
【００４２】
図５に示すように、第３の実施形態の屋根上取付具３０においては、支持脚片３６の長穴３６ａがジグザグ状に構成され、長穴３６ａの側面部３６ｄに、緊締用ボルト１３の長穴３６ａにおける上下方向の変位を抑制する突起３６ｅが、形成されている。
【００４３】
このような構造によれば、緊締用ボルト１３の長穴３６ａにおける上下方向の変位を抑制する突起３６ｅが、支持脚片３６の長穴３６ａの側面部３６ｄに形成されているので、一旦、支持脚片３６と脚片１１ｂとが緊締用ボルト１３と緊締用ナット１４により固定された後は、脚片１１ｂが支持脚片３６に対して変位することが抑制される。その結果、屋根上取付具３０を折板屋根４０にさらに堅固に取り付けることができる。
【００４４】
なお、支持脚片は、必ずしも第１の実施形態の支持脚片１６のように曲折により形成された脚部１６ｂを有したものや、第２の実施形態の支持脚片２６のように端部としての脚部２６ｂを有したものに限定されない。両脚片１１ｂ、１１ｂを緊締する緊締用ボルト１３と緊締用ナット１４との螺合により、両脚片１１ｂ、１１ｂの少なくとも一方の脚片１１ｂの外側に固定され、折板屋根４０に当接する脚部を有しているものであれば、種々の設計変更が可能である。
【００４５】
また、係止突起部２６ｃも、必ずしも第２の実施形態のように支持脚片２６の下端部から折板屋根４０の側面に向かって延設されたものに限定されない。支持脚片２６の脚部２６ｂを折板屋根４０に係止するように構成されたものであれば、種々の設計変更が可能である。
【００４６】
また、長穴３６aの突起も、必ずしも第３の実施形態のようにジグザグに形成されたものに限定されない。長穴３６aの側面部３６ｄにおいて、緊締用ボルト１３の長穴３６aにおける上下方向の変位を抑制する突起３６ｅであれば、種々の設計変更が可能である。
【００４７】
また、以上の第１、第２、第３の実施形態では、屋根上取付具を隣接する両屋根材の重合部４０ａに配した例を示したが、重合部４０aが形成されていない山部４１の頂部４１aに屋根上取付具を取り付けてもよい。
【００４８】
さらに、以上の第１、第２、第３の実施形態では、山部４１、谷部４２の稜線の形成方向に沿って両脚片１１ｂ、１１ｂが配列されるように屋根上取付具を配した例を示したが、波の方向に沿って両脚片１１ｂ、１１ｂが配列されるように屋根上取付具を配してもよい。
【００４９】
また、上記屋根上取付具は、平板状（波形を形成していない）屋根に取り付けることも可能である。
【符号の説明】
【００５０】
１０、２０、３０      屋根上取付具
１１      本体部
１１ａ      上板
１１ｂ      脚片
１１ｂａ      軸孔
１２      内向鍔片
１２ａ      折曲基部
１２ｂ      先端部
１２ｃ      凹所
１２ｄ      切り起こし片
１２ｅ      リブ
１３      緊締用ボルト
１３ａ      軸部
１４      緊締用ナット
１５      隙間
１６、２６、３６      支持脚片
１６ａ、３６ａ      長穴
１６ｂ、２６ｂ      脚部
２６ｃ      係止突起部
３６ｄ      側面部
３６ｅ      変位を抑制する突起
２１      ボルト体
２１ａ      軸部
２２      ナット
４０      折板屋根（波形屋根）
４０ａ      重合部
４１      山部
４１ａ      頂部
４２      谷部
【図１】
2010229661.tif 000003
【図２】
2010229661.tif 000004
【図３】
2010229661.tif 000005
【図４】
2010229661.tif 000006
【図５】
2010229661.tif 000007
【手続補正書】
【提出日】平成22年2月16日(2010.2.16)
【手続補正１】
【補正対象書類名】明細書
【補正対象項目名】全文
【補正方法】変更
【補正の内容】
【発明の詳細な説明】
【技術分野】
【０００１】
本発明は、波形屋根の頂部より突出したボルト体に挟着させて屋根上に取り付けるようにした屋根上取付具およびその取付構造に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、波形屋根の頂部等で隣接する屋根材を重ねた重合部をボルト体とナットの螺着によって固定した構造ものでは、屋根の下方より、屋根を貫通して屋根上に突出させた、屋根材連結のためのボルト体を対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫く緊締用ボルト、ナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に上記ボルト体に螺着されるナットが配されているから、内向鍔片でボルト体を挟み込む位置は、ボルト体の軸部の、ナットから上方に突き出た箇所となり、そのためボルト体に挟着したときには、両脚片の下端および内向鍔片は屋根から浮いた状態となる。そのため、屋根上取付具に対して外力が加われば、屋根上取付具が回転したり、ぐらついたりするおそれがあった。
【０００７】
本発明は、このような事情を考慮して提案されたもので、その目的は、波形屋根に対して、回転したり、ぐらついたりするおそれがなく、波形屋根に堅固に取り付けることができる屋根上取付具およびその取付構造を提供することにある。
【課題を解決するための手段】
【０００８】
上記目的を達成するために、請求項１に係る屋根上取付具は、両脚片を備えて断面略倒コ字形に形成した本体部と、該両脚片のそれぞれの下端から対向するように折曲延設された両内向鍔片とをすくなくとも備えてなり、緊締用ボルトと緊締用ナットとの螺合により上記両脚片を緊締して、上記両内向鍔片を、相互に近接させて、波形屋根の頂部より突出したボルト体に挟着させる構造とした屋根上取付具において、上記両脚片を緊締する上記緊締用ボルトと上記緊締用ナットとの螺合により上記両脚片の少なくとも一方の脚片の外側に固定される支持脚片を備え、この支持脚片は、上記波形屋根に当接する脚部を有していることを特徴とする。
【０００９】
請求項２に係る屋根上取付具は、上記支持脚片の脚部は、上記波形屋根の側面に当接し、上記脚部を上記波形屋根に係止する係止突起部を有している。
【００１０】
請求項３に係る屋根上取付具は、上記支持脚片は、長穴を有し、この長穴に挿通される上記緊締用ボルトと上記緊締用ナットとの螺合により上記脚片に固定される。
【００１１】
請求項４に係る屋根上取付具は、上記緊締用ボルトの長穴における上下方向の変位を抑制する突起が、上記支持脚片の長穴の側面部に形成されている。
【００１２】
請求項５に係る屋根上取付具の取付構造は、請求項１〜４のいずれかに記載の屋根上取付具を波形屋根に取り付けてなる。
【発明の効果】
【００１３】
本発明によれば、次のような効果がある。
【００１４】
すなわち、請求項１に係る屋根上取付具および請求項５に係る屋根上取付具の取付構造によれば、両脚片の少なくとも一方の脚片の外側に固定される支持脚片の脚部が波形屋根に当接するので、脚片の折板屋根に対する位置が安定する結果、屋根上取付具を波形屋根に堅固に取り付けることができる。
【００１５】
また、両脚片を緊締する緊締用ボルトと緊締用ナットとの螺合により、支持脚片も脚片に固定されるので、支持脚片を脚片に容易に取り付けることができる結果、屋根上取付具の波形屋根への取り付けが容易である。
【００１６】
また、支持脚片は、脚部を波形屋根の上面に当接させて屋根上取付具を安定させるので、屋根上取付具の下にスペーサを設けるなどして屋根上取付具を安定させる必要がない。その結果、屋根上取付具の下にスペーサを設ける場合のように屋根上取付具の位置が高くならず、ボルト体の余裕代を大きくとることができる。
【００１７】
また、請求項２に係る屋根上取付具によれば、支持脚片の脚部の係止突起部が、脚部を波形屋根に係止するので、支持脚片が波形屋根に対して変位することがない。そのため、屋根上取付具を波形屋根に対して、より堅固に取り付けることができる。
【００１８】
さらに、請求項３に係る屋根上取付具によれば、支持脚片が、長穴を介して脚片に、緊締用ボルトと緊締用ナットとにより固定されるので、取り付けるための屋根上取付具の位置に多少変更があっても、脚部を波形屋根に当接させた状態を維持したまま、支持脚片を脚片に確実に取り付けることができる。
【００１９】
また、さらに、請求項４に係る屋根上取付具によれば、緊締用ボルトの長穴における上下方向の変位を抑制する突起が、支持脚片の長穴の側面部に形成されているので、一旦、支持脚片と脚片とが緊締用ボルトと緊締用ナットにより固定された後は、脚片が支持脚片に対して変位することが抑制される。その結果、屋根上取付具を波形屋根にさらに堅固に取り付けることができる。
【図面の簡単な説明】
【００２０】
【図１】本発明に係る屋根上取付具の第１の実施形態を示す説明図であり、（ａ）は波形屋根への取付状態を示した正面図、（ｂ）は同側面図である。
【図２】図１に示した屋根上取付具の分解斜視図であり、（ａ）は全体の分解斜視図、（ｂ）は、（ａ）のＸ部分の拡大図である。
【図３】（ａ）、（ｂ）は、同屋根上取付具の施工状態を示す正面図である。
【図４】本発明に係る屋根上取付具の第２の実施形態を示す説明図であり、（ａ）は波形屋根への取付状態を示した正面図、（ｂ）は同側面図である。
【図５】本発明に係る屋根上取付具の第３の実施形態を示す説明図であり、（ａ）は折板屋根への取付状態を示した正面図、（ｂ）は同側面図である。
【発明を実施するための形態】
【００２１】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２２】
図１は本発明に係る屋根上取付具１０の第１の実施形態を示す説明図であり、（ａ）は折板屋根４０への取付状態を示した正面図、（ｂ）は同側面図である。また、図２（ａ）は図１に示した屋根上取付具の分解斜視図、図２（ｂ）は図２（ａ）のＸ部分の拡大図である。図３（ａ）、（ｂ）は同屋根上取付具１０の施工状態を示す正面図である。
【００２３】
本実施形態に使用される折板屋根４０は、山部４１と谷部４２とが交互に連続する屋根であって、複数の折板屋根材を側端縁の山部４１の頂部４１ａで重合し、その重合部４０ａでボルト体２１とナット２２の螺着によって連結した重ね式構造となっている。
【００２４】
一方、屋根上取付具１０は、金属板または硬質樹脂板よりなり、折板屋根４０の頂部４１ａより上方に突出した重合部連結用の上記ボルト体２１に挟着して、取付、固定する構造となっている。
【００２５】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の軸部２１ａに、ボルト体２１に螺着されたナット２２の上方位置で挟着させる構造となっている。また両脚片１１ｂ、１１ｂの緊締は、対向する両脚片１１ｂ、１１ｂに開設された軸孔１１ｂａ、１１ｂａ（図２）に貫通された緊締用ボルト１３と、緊締用ナット１４との螺合によってなされる。
【００２６】
そして、本実施形態では、脚片１１ｂ、１１ｂより延設された内向鍔片１２、１２が、折曲基部１２ａから先端部１２ｂに向けて傾斜起立した形状となっている。
【００２７】
また、内向鍔片１２、１２の先端部１２ｂの辺縁の略中央には、折板屋根４０の頂部４１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、内向鍔片１２、１２の傾斜の程度によっては、切り起こし片１２ｄを形成しなくてもよい。さらに、内向鍔片１２、１２には、内向鍔片１２、１２の強度を上げるためのリブ１２ｅが形成されている。
【００２８】
また、この屋根上取付具１０は、両脚片１１ｂ、１１ｂを緊締する緊締用ボルト１３と緊締用ナット１４との螺合により両脚片１１ｂ、１１ｂの少なくとも一方の脚片１１ｂの外側に固定される概ね板状の支持脚片１６を備えている。
【００２９】
そして、この支持脚片１６は、上方に開口する切り欠き状の長穴１６ａを有し、この長穴１６ａに挿通される緊締用ボルト１３と緊締用ナット１４との螺合により一方の脚片１１ｂに固定される。
【００３０】
また、この支持脚片１６は、支持脚片１６の下部を曲折して延設された脚部１６ｂを有しており、この脚部１６ｂの下面は、折板屋根４０の頂部４１ａに当接している。
以上のように構成した屋根上取付具１０は、以下の要領で折板屋根４０に取り付けて使用する。
【００３１】
まず、両脚片１１ｂ、１１ｂの軸孔１１ｂａ、１１ｂａに緊締用ボルト１３の軸部１３ａを貫通させたうえで、緊締用ボルト１３の先端側において緊締用ナット１４により両脚片１１ｂ、１１ｂと支持脚片１６とを軽く締めて仮止め状態にする。次に、脚部１６ｂを折板屋根４０に当接させたうえで、突出したボルト体２１の上方から、両脚片１１ｂ、１１ｂの隙間１５を通じてボルト体２１を嵌挿する（図３（ａ）、（ｂ）参照）。
【００３２】
そして、仮止め状態にしていた緊締用ボルト１３および緊締用ナット１４を締め付けると、この締め付け力によって両脚片１１ｂ、１１ｂが近接して、両脚片１１ｂ、１１ｂ下端の両内向鍔片１２、１２も互いに近接し、この両内向鍔片１２、１２の両凹所１２ｃ、１２ｃが、ボルト体２１の軸部２１ａを挟持する。また、脚部１６ｂが折板屋根４０に当接した状態で、切り起こし片１２ｄがボルト体２１のネジ溝に食い込んで、屋根上取付具１０が折板屋根４０に連結固定される（図１参照）。
【００３３】
また、緊締用ボルト１３および緊締用ナット１４で両脚片１１ｂ、１１ｂを緊締した状態では、図１に示すように、両脚片１１ｂ、１１ｂの下端が相互に近づいて両脚片１１ｂ、１１ｂが傾斜状態から略垂直状態に変化するとともに、両内向鍔片１２、１２はさらに勾配が急になる。
【００３４】
こうして取り付けた屋根上取付具１０によれば、屋根上取付具１０の本体部１１の上に、安定した状態で、各種機器や部材類を取り付けることができる。
【００３５】
特に、本発明の屋根上取付具１０および屋根上取付具１０の取付構造によれば、両脚片１１ｂ、１１ｂの少なくとも一方の脚片１１ｂの外側に固定される支持脚片１６の脚部１６ｂが折板屋根４０に当接するので、脚片１１ｂの折板屋根４０に対する位置が安定する結果、屋根上取付具１０を折板屋根４０に堅固に取り付けることができる。
【００３６】
また、両脚片１１ｂ、１１ｂを緊締する緊締用ボルト１３と緊締用ナット１４との螺合により、支持脚片１６も脚片１１ｂに固定されるので、支持脚片１６を脚片１１ｂに容易に取り付けることができる結果、屋根上取付具１０の折板屋根４０への取り付けが容易になる。
【００３７】
また、支持脚片１６は、脚部１６ｂを折板屋根４０の上面に当接させて屋根上取付具１０を安定させるので、屋根上取付具１０の下にスペーサを設けるなどして折板屋根４０を安定させる必要がない。その結果、屋根上取付具１０の下にスペーサを設ける場合のように、屋根上取付具１０の位置が高くならず、ボルト体２１の余裕代を大きくとることができる。
【００３８】
さらに、支持脚片１６が、長穴１６ａを介して脚片１１ｂに、緊締用ボルト１３と緊締用ナット１４とにより固定されるので、取り付けるための屋根上取付具１０の位置に多少変更があっても、脚部１６ｂを折板屋根４０に当接させた状態を維持したまま、支持脚片１６を脚片１１ｂに確実に取り付けることができる。
【００３９】
次に、図４は本発明に係る屋根上取付具の第２の実施形態を示す説明図であり、（ａ）は折板屋根４０への取付状態を示した正面図、（ｂ）は同側面図である。なお、屋根上取付具２０の本体部１１、内向鍔片１２、１２の構造および脚片１１ｂ、１１ｂの緊締構造については第１の実施形態のものと同様であるため、以下、同様の構成については同様の符号を付して、それらの説明を割愛する。また、以下の実施形態では、屋根上取付具２０の施工状態図を省略する。
【００４０】
図４に示すように、第２の実施形態の屋根上取付具２０においては、第１の実施形態のような曲折により形成された脚部１６ｂの代わりに、折板屋根４０に当接する支持脚片２６の下端部として、脚部２６ｂが形成されている。また、この脚部２６ｂは、支持脚片２６の下端部から折板屋根４０の側面に向かって延設されており、折板屋根４０の側面に当接する係止突起部２６ｃを有している。そして、この係止突起部２６ｃにより、支持脚片２６の脚部２６ｂが、折板屋根４０の山部４１にまたがるように係止されて構成されている。
このような構造によれば、支持脚片２６の脚部２６ｂの係止突起部２６ｃが、脚部２６ｂを折板屋根４０に係止するので、支持脚片２６が折板屋根４０に対して変位することがない。そのため、屋根上取付具２０を折板屋根４０に対して、より堅固に取り付けることができる。
【００４１】
また、図５は本発明に係る屋根上取付具３０の第３の実施形態を示す説明図であり、（ａ）は折板屋根４０への取付状態を示した正面図、（ｂ）は同側面図である。
【００４２】
図５に示すように、第３の実施形態の屋根上取付具３０においては、支持脚片３６の長穴３６ａがジグザグ状に構成され、長穴３６ａの側面部３６ｄに、緊締用ボルト１３の長穴３６ａにおける上下方向の変位を抑制する突起３６ｅが、形成されている。
【００４３】
このような構造によれば、緊締用ボルト１３の長穴３６ａにおける上下方向の変位を抑制する突起３６ｅが、支持脚片３６の長穴３６ａの側面部３６ｄに形成されているので、一旦、支持脚片３６と脚片１１ｂとが緊締用ボルト１３と緊締用ナット１４により固定された後は、脚片１１ｂが支持脚片３６に対して変位することが抑制される。その結果、屋根上取付具３０を折板屋根４０にさらに堅固に取り付けることができる。
【００４４】
なお、支持脚片は、必ずしも第１の実施形態の支持脚片１６のように曲折により形成された脚部１６ｂを有したものや、第２の実施形態の支持脚片２６のように端部としての脚部２６ｂを有したものに限定されない。両脚片１１ｂ、１１ｂを緊締する緊締用ボルト１３と緊締用ナット１４との螺合により、両脚片１１ｂ、１１ｂの少なくとも一方の脚片１１ｂの外側に固定され、折板屋根４０に当接する脚部を有しているものであれば、種々の設計変更が可能である。
【００４５】
また、係止突起部２６ｃも、必ずしも第２の実施形態のように支持脚片２６の下端部から折板屋根４０の側面に向かって延設されたものに限定されない。支持脚片２６の脚部２６ｂを折板屋根４０に係止するように構成されたものであれば、種々の設計変更が可能である。
【００４６】
また、長穴３６aの突起も、必ずしも第３の実施形態のようにジグザグに形成されたものに限定されない。長穴３６aの側面部３６ｄにおいて、緊締用ボルト１３の長穴３６aにおける上下方向の変位を抑制する突起３６ｅであれば、種々の設計変更が可能である。
【００４７】
また、以上の第１、第２、第３の実施形態では、屋根上取付具を隣接する両屋根材の重合部４０ａに配した例を示したが、重合部４０aが形成されていない山部４１の頂部４１aに屋根上取付具を取り付けてもよい。
【００４８】
さらに、以上の第１、第２、第３の実施形態では、山部４１、谷部４２の稜線の形成方向に沿って両脚片１１ｂ、１１ｂが配列されるように屋根上取付具を配した例を示したが、波の方向に沿って両脚片１１ｂ、１１ｂが配列されるように屋根上取付具を配してもよい。
【００４９】
また、上記屋根上取付具は、平板状（波形を形成していない）屋根に取り付けることも可能である。
【符号の説明】
【００５０】
１０、２０、３０      屋根上取付具
１１      本体部
１１ａ      上板
１１ｂ      脚片
１１ｂａ      軸孔
１２      内向鍔片
１２ａ      折曲基部
１２ｂ      先端部
１２ｃ      凹所
１２ｄ      切り起こし片
１２ｅ      リブ
１３      緊締用ボルト
１３ａ      軸部
１４      緊締用ナット
１５      隙間
１６、２６、３６      支持脚片
１６ａ、３６ａ      長穴
１６ｂ、２６ｂ      脚部
２６ｃ      係止突起部
３６ｄ      側面部
３６ｅ      変位を抑制する突起
２１      ボルト体
２１ａ      軸部
２２      ナット
４０      折板屋根（波形屋根）
４０ａ      重合部
４１      山部
４１ａ      頂部
４２      谷部